(57)【要約】【課題】折板屋根材の裏面への水の回り込みを抑制し、折板屋根材の長寿命化を図ることができる水切り部材及び折板屋根を提供する。【解決手段】幅方向Ｗに交互に並んだ山部２１及び谷部２２が接続部２３，２４を介して接続された折板屋根材１１に取り付けられる水切り部材３１であって、谷部２２における延在方向Ｔの先端部に取り付けられる設置片３３と、設置片３３に連なるとともに、設置片３３が谷部２２に取り付けられた状態で谷部２２から下方に延設される水切り片３４と、を備えている。【選択図】図２
2018168591.tif 000002
【特許請求の範囲】
【請求項１】
幅方向に交互に並んだ山部及び谷部が接続部を介して接続された折板屋根材に取り付けられる水切り部材であって、
前記谷部における延在方向の先端部に取り付けられる設置片と、
前記設置片に連なるとともに、前記設置片が前記谷部に取り付けられた状態で前記谷部から下方に延設される水切り片と、を備えていることを特徴とする水切り部材。
【請求項２】
前記設置片は、前記谷部の裏面に取り付けられることを特徴とする請求項１に記載の水切り部材。
【請求項３】
前記設置片は、シール材を介して前記谷部に固着されることを特徴とする請求項１又は請求項２に記載の水切り部材。
【請求項４】
前記幅方向における前記設置片の両端部に連なるとともに、前記谷部に対して両側に位置する前記接続部に取り付けられる固定片を備えていることを特徴とする請求項１から請求項３の何れか１項に記載の水切り部材。
【請求項５】
前記固定片は、
前記接続部の裏面に配置される裏面押さえと、
前記裏面押さえに対して屈曲され、前記裏面押さえとの間に前記接続部を挟み込む表面押さえと、を有していることを特徴とする請求項４に記載の水切り部材。
【請求項６】
幅方向に交互に並んだ山部及び谷部が接続部を介して接続された折板屋根材と、
前記谷部における延在方向の先端部に取り付けられた請求項１から請求項５の何れか１項に記載の水切り部材と、を備えていることを特徴とする折板屋根。
【発明の詳細な説明】
【技術分野】
【０００１】
本発明は、水切り部材及び折板屋根に関するものである。
【背景技術】
【０００２】
建物に用いられる屋根の一つに、折板屋根がある（例えば、下記特許文献１参照）。折板屋根は、波形に屈曲形成された折板屋根材が梁等に固定されて構成されている。
【０００３】
ところで、雨や雪等によって折板屋根材に溜まった水は、主に谷部の表面を伝って谷部の延在方向における先端部（水下側の端部）に向けて流れた後、谷部の先端縁を経て下方に流れ落ちていく。
しかしながら、折板屋根の水勾配が緩やかな場合には、谷部の先端縁まで到達した水が折板屋根材の裏面に回り込み易い。そして、水が折板屋根材の裏面で滞留すると、裏面に錆が発生するおそれがある。
【先行技術文献】
【特許文献】
【０００４】
【特許文献１】実開平５−５７１５９号公報
【発明の概要】
【発明が解決しようとする課題】
【０００５】
ここで、近時では、老朽化した折板屋根の延命化を図るために、折板屋根の改修工事を行う場合がある。改修工事は、例えば折板屋根材に防錆剤等の塗料を塗る等して行われる。
【０００６】
上述した改修工事は、作業員が折板屋根に上がって行われることが一般的である。そのため、折板屋根材の表面については比較的簡単に塗装を行うことができる。一方で、折板屋根材の裏面への塗装が難しいという課題がある。特に、折板屋根の下方に軒樋が配置されている場合、折板屋根材の裏面を塗装するには折板屋根材と軒樋との間を通じて行う必要がある。そのため、裏面への塗装がより困難になる。
改修工事において、仮に塗装を折板屋根材の表面のみに留めると（裏面への塗装を行わないと）、折板屋根材の裏面において錆が進行する。その結果、折板屋根の長寿命化が難しいという課題がある。
【０００７】
そこで、本発明は、上述した事情に考慮してなされたもので、折板屋根材の裏面への水の回り込みを抑制し、折板屋根材の長寿命化を図ることができる水切り部材及び折板屋根を提供することを目的とする。
【課題を解決するための手段】
【０００８】
上記課題を解決するために、本発明は以下の態様を採用した。
本発明の一態様に係る水切り部材は、幅方向に交互に並んだ山部及び谷部が接続部を介して接続された折板屋根材に取り付けられる水切り部材であって、前記谷部における延在方向の先端部に取り付けられる設置片と、前記設置片に連なるとともに、前記設置片が前記谷部に取り付けられた状態で前記谷部から下方に延設される水切り片と、を備えている。
【０００９】
本態様によれば、折板屋根材に取り付けられた状態において、谷部から下方に延設される水切り片を有しているため、谷部の表面上を流れる水は、谷部の先端縁を経た後、水切り片に伝わって下方に流れ落ちる。そのため、折板屋根の水切り性を向上させ、折板屋根材の裏面への水の回り込みを抑制できる。その結果、折板屋根材の裏面での錆の進行を抑制できる。
特に、水切り部材が、谷部の先端部に取り付けられる設置片を有しているため、折板屋根の改修工事において、谷部に設置片を取り付けるだけで、折板屋根材の裏面への水の回り込みを抑制できる。これにより、改修工事において、例えば折板屋根材の裏面への塗装を行うことなく、折板屋根材の裏面での錆の進行を抑制できる。そのため、改修工事において、作業員が折板屋根に上がった状態で折板屋根材の裏面まで塗装を行う場合に比べて改修工事の作業性を向上させることができる。
したがって、作業性を向上させた上で、折板屋根の長寿命化を図ることができる。
【００１０】
上記態様において、前記設置片は、前記谷部の裏面に取り付けられていてもよい。
本態様によれば、設置片が谷部の裏面に取り付けられるため、水切り部材の取り付けに伴い谷部と設置片との境界部分に形成される段差が谷部の裏面に配置される。そのため、谷部の表面に設置片を取り付ける場合と異なり、谷部の表面を流れる水が段差で滞留するのを抑制し、谷部と設置片との境界部分での錆の発生を抑制できる。
【００１１】
上記態様において、前記設置片は、シール材を介して前記谷部に固着されてもよい。
本態様によれば、設置片がシール材を介して谷部に固着されているため、設置片と谷部との間を通して折板屋根材の裏面に水が回り込むのを確実に抑制できる。また、ビスやリベット等によって設置片を取り付ける場合と異なり、設置片と折板屋根材との固定部分に貫通孔等を形成する必要がない。そのため、固定部分に錆が発生するのを抑制できる。
【００１２】
上記態様において、前記幅方向における前記設置片の両端部に連なるとともに、前記谷部に対して両側に位置する前記接続部に取り付けられる固定片を備えていてもよい。
本態様によれば、水切り部材を折板屋根材に確実に固定できる。これにより、折板屋根の更なる長寿命化を図ることができる。
【００１３】
上記態様において、前記固定片は、前記接続部の裏面に配置される裏面押さえと、前記裏面押さえに対して屈曲され、前記裏面押さえとの間に前記接続部を挟み込む表面押さえと、を有していてもよい。
本態様によれば、例えば現場で固定片を折り曲げる等して簡単に固定片を折板屋根材に固定できる。そのため、固定片を接着剤等で別途固定する場合に比べて作業性の向上や施工コストの削減を図ることができる。
【００１４】
本発明の一態様に係る水切り部材は、幅方向に交互に並んだ山部及び谷部が接続部を介して接続された折板屋根材と、前記谷部における延在方向の先端部に取り付けられた上記態様の水切り部材と、を備えている。
本態様によれば、上述した水切り部材が折板屋根材に取り付けられているため、水切り性を確保し、長寿命化を図ることができる。
【発明の効果】
【００１５】
本発明の一態様によれば、折板屋根材の裏面への水の回り込みを抑制し、折板屋根材の長寿命化を図ることができる。
【図面の簡単な説明】
【００１６】
【図１】実施形態に係る建物の軒先部分を示す断面図である。
【図２】実施形態に係る折板屋根を示す斜視図である。
【図３】取付前の状態における水切り部材を示す斜視図である。
【図４】水切り部材の取付方法を説明するための工程図である。
【図５】水切り部材の取付方法を説明するための工程図である。
【発明を実施するための形態】
【００１７】
次に、本発明の実施形態を図面に基づいて説明する。
［建物］
図１は、建物１の軒先部分を示す断面図である。
図１に示す建物１は、折板屋根２を有している。折板屋根２は、屋根梁３（Ｈ形鋼等）の上面に固定されたタイトフレーム１０に、折板屋根材１１が固定されて構成されている。但し、折板屋根材１１の屋根梁３への固定方法は、適宜変更が可能である。
【００１８】
建物１における屋根梁３に対して屋外側には、外壁５が配置されている。外壁５は、例えばＡＬＣパネル（Ａｕｔｏｃｌａｖｅｄ  Ｌｉｇｈｔｗｅｉｇｈｔ  ａｅｒａｔｅｄ  Ｃｏｎｃｒｅｔｅｐａｎｅｌｓ）により構成されている。外壁５は、取付金具（不図示）等を介して柱６に取り付けられている。なお、外壁５に対して屋外側には、軒樋７が設けられている。
【００１９】
＜折板屋根＞
図２は、折板屋根２を示す斜視図である。
図２に示すように、折板屋根材１１は、金属材料等により形成された板材がロール成形等によって波形に屈曲されて構成されている。なお、折板屋根材１１に用いる金属材料としては、例えばスチール（ガルバリウム鋼板（登録商標）やカラーガルバリウム鋼板（登録商標））や、ステンレス等が挙げられる。但し、折板屋根材１１に採用する材料は、適宜変更可能である。
【００２０】
折板屋根材１１は、幅方向Ｗに交互に並んだ山部２１及び谷部２２と、隣り合う山部２１及び谷部２２間を接続する接続部２３，２４と、を有している。
山部２１及び谷部２２は、幅方向Ｗに直交する方向（延在方向Ｔ）に沿ってそれぞれ直線状に延在している。山部２１及び谷部２２は、延在方向Ｔから見た正面視において幅方向Ｗにも直線状に延在している。但し、山部２１及び谷部２２は、正面視において、円弧状等に形成されていても構わない。また、谷部２２には、尾垂れ加工が施されていても構わない。
【００２１】
接続部２３は、谷部２２と、谷部２２に対して幅方向Ｗの第１側に位置する山部２１と、の間を接続している。接続部２４は、谷部２２と、谷部２２に対して幅方向の第２側に位置する山部２１と、の間を接続している。各接続部２３，２４は、上下方向（鉛直方向）に対して交差する方向に傾斜して延在している。具体的に、谷部２２に対して幅方向Ｗの両側に位置する接続部２３，２４同士は、上方に向かうに従い幅方向Ｗで互いに離間する向きに傾斜している。
【００２２】
各接続部２３，２４の上部には、係止部２５，２６がそれぞれ形成されている。係止部２５，２６は、各接続部２３，２４の上部が下部に比べて幅方向Ｗに膨出して形成されている。係止部２５，２６には、タイトフレーム１０に取り付けられた取付金具（不図示）が係止される。
【００２３】
図１に示すように、折板屋根材１１は、所定の水勾配（例えば、水平面と延在方向Ｔとのなす角度が１／１００程度）をつけた状態で設置される。また、折板屋根材１１は、延在方向Ｔの先端部（水下側の端部）が外壁５よりも屋外側に突出した状態で屋根梁３に支持されている。この場合、折板屋根材１１の先端部の下方には、上述した軒樋７が配置されている。軒樋７は、上方に向けて開放されるとともに、外壁５に沿って幅方向Ｗに延在している。軒樋７は、例えば折板屋根材１１から流れ落ちる水等を受け入れ、竪樋（不図示）に案内する。
【００２４】
（水切り部材）
ここで、折板屋根２において、折板屋根材１１の先端部には、水切り部材３１が取り付けられている。水切り部材３１は、折板屋根材１１の各谷部２２に対応して各別に取り付けられている。なお、各水切り部材３１は、何れも同様の構成である。そのため、以下の説明では、一の水切り部材３１を例にして説明する。
【００２５】
水切り部材３１は、設置片３３と、水切り片３４と、一対の固定片（第１固定片３５及び第２固定片３６）と、を備えている。本実施形態の水切り部材３１は、折板屋根材１１と同種材料の金属板が屈曲されて構成されている。このように、水切り部材３１と折板屋根材１１とを同種材料により形成することで、水切り部材３１と折板屋根材１１との間で発生する電蝕を抑制できる。但し、水切り部材３１と折板屋根材１１とを異種材料で形成しても構わない。
【００２６】
設置片３３は、幅方向Ｗに延びる短冊状に形成されている。本実施形態において、設置片３３の幅は、谷部２２の幅と同等に設定されている。設置片３３は、谷部２２の裏面（下面）にシール材４１を介して接合されている。具体的に、設置片３３は、延在方向Ｔにおける先端縁が谷部２２の先端縁と面一になるように接合されている。但し、設置片３３の先端縁は、谷部２２の先端縁に対して屋外側に位置しても、屋内側に位置しても構わない。なお、上述したシール材４１としては、湿式シーリング（例えば、シリコン系やウレタン系等）、乾式シーリング（例えば、ブチルテープやアスファルトテープ等）、その他防水性を有する接着剤等が好適に用いられる。
【００２７】
水切り片３４は、幅方向Ｗにおいて設置片３３と同等の幅を有する短冊状に形成されている。水切り片３４は、設置片３３に対して下方に屈曲されて構成されている。すなわち、水切り片３４は、水切り部材３１が折板屋根材１１に取り付けられた状態において、谷部２２の先端縁から下方に延設されている。本実施形態において、設置片３３と水切り片３４とのなす角度は、例えば９０°程度に設定されている。但し、設置片３３と水切り片３４とのなす角度は、適宜変更が可能である。すなわち、水切り片３４は、下方に向かうに従い屋外側に傾斜していてもよく、屋内側に傾斜していても構わない。
【００２８】
第１固定片３５は、上述した接続部２３の表裏面を挟み込んでいる。第２固定片３６は、上述した接続部２４の表裏面を挟み込んでいる。なお、本実施形態の各固定片３５，３６は、設置片３３における幅方向Ｗの中心を通る対称面に対して面対称に形成されている。したがって、以下の説明では、第１固定片３５を例にして説明し、第２固定片３６において第１固定片３５と同様の構成については同一の符号を付して説明を省略する。
【００２９】
第１固定片３５は、接続部２３の裏面に配置された裏面押さえ５１と、接続部２３の表面に配置された表面押さえ５２と、を備えている。
裏面押さえ５１は、設置片３３における幅方向Ｗの第１側端縁に連なる短冊状に形成されている。裏面押さえ５１は、設置片３３に対して上方に屈曲されて構成されている。具体的に、裏面押さえ５１は、接続部２３の裏面に倣って上方に向かうに従い幅方向Ｗの第１側に向けて傾斜して延在している。
【００３０】
表面押さえ５２は、裏面押さえ５１と同等の形状に形成されている。表面押さえ５２は、裏面押さえ５１における延在方向Ｔの先端縁に連なり、裏面押さえ５１と重なり合っている。表面押さえ５２は、接続部２３の表面に倣って傾斜して延在している。これにより、第１固定片３５の裏面押さえ５１と表面押さえ５２との間に接続部２３が挟み込まれている。同様に、第２固定片３６は、裏面押さえ５１と表面押さえ５２との間に接続部２４を挟み込んでいる。なお、各固定片３５，３６と接続部２３，２４との間に、それぞれシール材を介在させても構わない。
【００３１】
［水切り部材の取付方法］
次に、上述した水切り部材３１の取付方法について説明する。
本実施形態の水切り部材３１は、例えば折板屋根２の老朽化に伴う改修工事の一つとして折板屋根材１１に取り付けられる。改修工事は、例えば作業員が折板屋根２に上がって行う。改修工事では、水切り部材３１の取付作業の他、折板屋根材１１の表面への塗装等を行う。また、折板屋根材１１の表面への塗装を行う前に、必要に応じてケレン処理等が行われる。
【００３２】
図３は、取付前の状態における水切り部材３１を示す斜視図である。
図３に示すように、水切り部材３１は、設置片３３に対して水切り片３４のみが予め折り曲げられた状態で、改修工事の現場に搬送される。すなわち、改修工事では、現場で固定片３５，３６を折り曲げながら、水切り部材３１を折板屋根材１１に取り付ける。但し、水切り部材３１は、水切り片３４を折り曲げない状態（平板の状態）で現場に搬送してもよく、水切り片３４以外の部分を予め折り曲げた状態で現場に搬送しても構わない。
【００３３】
図４、図５は、水切り部材３１の取付方法を説明するための工程図である。
図４に示すように、水切り部材３１を折板屋根材１１に取り付ける際には、まず設置片３３の表面にシール材４１（図３参照）を配置した後、谷部２２の裏面に設置片３３を貼り付ける。なお、シール材４１は、現場ではなく予め工場等で設置片３３の表面に対して配置されていてもよい。
【００３４】
続いて、図５に示すように、設置片３３における幅方向Ｗの両端縁を起点にして固定片３５，３６を上方に向けて折り曲げる。この際、固定片３５，３６の裏面押さえ５１を、対応する接続部２３，２４の裏面に倣うように折り曲げる。
【００３５】
その後、裏面押さえ５１における延在方向Ｔの先端縁を起点にして表面押さえ５２を折り曲げる。これにより、表面押さえ５２が、対応する接続部２３，２４の先端縁を回り込んで、接続部２３，２４の表面に当接する。
以上により、水切り部材３１の取付作業が完了する。そして、上述した取付作業を各谷部２２それぞれに対して行うことで、折板屋根材１１の全ての谷部２２に対応して水切り部材３１が取り付けられる。なお、上述した取付方法は、一例であり、適宜変更が可能である。例えば、固定片３５，３６の少なくとも一部を予め折り曲げた状態で、設置片３３と谷部２２とを接合させても構わない。
【００３６】
このように、本実施形態の水切り部材３１は、折板屋根材１１に取り付けられた状態において、谷部２２から下方に延設される水切り片３４を有する構成とした。
この構成によれば、谷部２２の表面上を流れる水は、谷部２２の先端縁を経た後、水切り片３４に伝わって下方に流れ落ちる。そのため、折板屋根２の水切り性を向上させ、折板屋根材１１の裏面への水の回り込みを抑制できる。その結果、折板屋根材１１の裏面での錆の進行を抑制できる。
【００３７】
しかも、本実施形態の水切り部材３１は、谷部２２の先端部に取り付けられる設置片３３を有している構成とした。
この構成によれば、折板屋根２の改修工事において、谷部２２に設置片３３を取り付けるだけで、折板屋根材１１の裏面への水の回り込みを抑制できる。これにより、改修工事において、折板屋根材１１の裏面への塗装を行うことなく、折板屋根材１１の裏面での錆の進行を抑制できる。そのため、改修工事において、作業員が折板屋根２に上がった状態で折板屋根材１１の裏面まで塗装を行う場合に比べて改修工事の作業性を向上させることができる。
したがって、作業性を向上させた上で、折板屋根２の長寿命化を図ることができる。
【００３８】
本実施形態では、設置片３３が谷部２２の裏面に取り付けられるため、水切り部材３１の取り付けに伴い谷部２２と設置片３３との境界部分に形成される段差が谷部２２の裏面に配置される。そのため、谷部２２の表面に設置片３３を取り付ける場合と異なり、谷部２２の表面を流れる水が段差で滞留するのを抑制し、谷部２２と設置片３３との境界部分での錆の発生を抑制できる。
【００３９】
本実施形態では、設置片３３がシール材４１を介して谷部２２に固着されている構成とした。
この構成によれば、設置片３３と谷部２２との間を通して折板屋根材１１の裏面に水が回り込むのを確実に抑制できる。また、ビスやリベット等によって設置片３３を取り付ける場合と異なり、設置片３３と折板屋根材１１との固定部分に貫通孔等を形成する必要がない。そのため、固定部分に錆が発生するのを抑制できる。
【００４０】
本実施形態の水切り部材３１は、折板屋根材１１の接続部２３，２４に取り付けられる固定片３５，３６を有している構成とした。
この構成によれば、水切り部材３１を折板屋根材１１に確実に固定できる。これにより、折板屋根２の更なる長寿命化を図ることができる。
【００４１】
本実施形態の水切り部材３１は、固定片３５，３６が対応する接続部２３，２４を挟み込んで折板屋根材１１に固定される構成とした。
この構成によれば、例えば現場で固定片３５，３６を折り曲げる等して簡単に固定片３５，３６を折板屋根材１１に固定できる。そのため、固定片３５，３６を接着剤等で別途固定する場合に比べて作業性の向上や施工コストの削減を図ることができる。
【００４２】
そして、本実施形態の折板屋根２は、上述した水切り部材３１が折板屋根材１１に取り付けられているため、水切り性を確保し、長寿命化を図ることができる。
【００４３】
本発明の技術範囲は、上述した各実施形態に限定されるものではなく、本発明の趣旨を逸脱しない範囲において、上述した実施形態に種々の変更を加えたものを含む。
例えば、上述した実施形態では、既存の建物１の改修工事に水切り部材３１を用いる構成について説明したが、この構成のみに限らず、建物１の新築時に上述した水切り部材３１を取り付けても構わない。
上述した実施形態では、居住用の建物１の折板屋根２を例にして説明したが、この構成のみに限られない。例えば、カーポートや工場、倉庫等、種々の建物の屋根に上述した折板屋根２を採用することが可能である。
【００４４】
上述した実施形態では、設置片３３が谷部２２の裏面に取り付けられる構成について説明したが、谷部２２の表面に設置片３３を取り付けても構わない。
上述した実施形態では、設置片３３がシール材４１を介して固着される構成について説明したが、この構成のみに限らず、ビスやリベット、係止爪等、種々の方法により取り付けることが可能である。
上述した実施形態では、設置片３３に加えて一対の固定片３５，３６により、水切り部材３１を折板屋根材１１に取り付ける構成について説明したが、この構成のみに限られない。すなわち、固定片は一つでもよく、また固定片を有さない構成であってもよい。
【００４５】
上述した実施形態では、一つの谷部２２に対して一つの水切り部材３１（設置片３３）が取り付けられる構成について説明したが、この構成のみに限られない。すなわち、複数の谷部２２に跨って一つの設置片３３及び水切り片３４を設けても構わない。
上述した実施形態では、改修工事において、折板屋根材１１の裏面に塗装を施さない構成について説明したが、この構成のみに限らず、折板屋根材１１の裏面に塗装を施した上で水切り部材３１を取り付けても構わない。
【００４６】
なお、水切り部材３１において、折り曲げ予定部分（例えば、設置片３３と固定片３５，３６との境界部分や、設置片３３と水切り片３４との境界部分）に、折り目を設けても構わない。折り目としては、例えば例えば、ミシン目や薄肉等を採用することができる。これにより、改修工事での作業性をより向上させることができる。
【００４７】
上述した実施形態では、水切り片３４が谷部２２の先端縁と面一に配置された構成について説明したが、この構成のみに限られない。すなわち、水切り片３４は、谷部２２の先端縁に対して屋外側若しくは屋内側に位置していても構わない。
上述した実施形態では、折板屋根材１１や水切り部材３１が金属材料により形成された構成について説明したが、樹脂材料等であっても構わない。
【００４８】
上述した実施形態では、金属板に対して曲げと切断のみで水切り部材３１を形成しているが、この構成のみに限らず、金属板に対してプレス加工等を施して水切り部材３１を形成しても構わない。プレス加工を施す場合には、曲げと切断のみで水切り部材３１を形成する場合に比べて複雑な形状の水切り部材３１を製造できる。この場合、例えば水切り片３４を谷部２２及び設置片３３よりも幅広に形成することも可能である。この構成によれば、例えば谷部２２と接続部２３，２４との境界部分を通して折板屋根材１１の裏面に水が回り込むのを抑制できる。
上述した実施形態では、谷部２２に対応して水切り片３４を配置する構成について説明したが、この構成のみに限られない。水切り片３４は、少なくとも谷部２２に対応する位置に配置されていれば、山部２１や接続部２３，２４に対応する位置に配置されていても構わない。
【００４９】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００５０】
１…建物、２…折板屋根、３…屋根梁、５…外壁、６…柱、７…軒樋、１０…タイトフレーム、１１…折板屋根材、２１…山部、２２…谷部、２３…接続部、２４…接続部、２５…係止部、２６…係止部、３１…水切り部材、３３…設置片、３４…水切り片、３５…第１固定片、３６…第２固定片、４１…シール材
【図１】
2018168591.tif 000003
【図２】
2018168591.tif 000004
【図３】
2018168591.tif 000005
【図４】
2018168591.tif 000006
【図５】
2018168591.tif 000007